(57)【要約】【課題】不用時には広い空間を占有しないようにすることができ、しかも、使用時においては脚を延ばした安楽な姿勢で使用者を着座させることができる車両の補助座席装置を提供する。【解決手段】補助座席２０は、使用時においてバックドア１１の前側に設置される補助座部２１及び補助背もたれ部２２を備えるとともに、バックドア１１の背面側を足置き部２３として構成される。補助背もたれ部２２は、最後側座席１２の背もたれ部１３に連結されるとともに補助座部２１に連結され、補助座部２１とともに非使用状態と使用状態とにおいて切り替えられる。補助座部２１には、車体床上に固定された状態で補助座部２１及び補助背もたれ部２２を支持する脚部材３０が連結されている。脚部材３０は、補助座部２１及び補助背もたれ部２２とともに使用状態と非使用状態とにおいて切り替えられる。補助背もたれ部２２は、ネット２６によって構成されている。【選択図】図２
2008265388.tif 000002
【特許請求の範囲】
【請求項１】
下端部を中心に下方へ回動して開くバックドアを備えた車両の補助座席装置であって、
最後側座席の背もたれ部の背面に連結された補助背もたれ部と、同補助背もたれ部に連結された補助座部とが設けられ、
使用時において前記バックドアの前側に前記補助座部及び補助背もたれ部が展開状態で設置され、不用時において前記補助背もたれ部及び補助座部は前記背もたれ部の背面上に折り畳まれるように構成され、
前記補助座部と前記バックドアとの間には、同バックドアの開放状態において同補助座部とバックドアとの間を連結するための連結手段が設けられていることを特徴とする車両の補助座席装置。
【請求項２】
前記補助座部には、同補助座部を車体床上に支持する脚部材が連結されていることを特徴とする請求項１に記載の車両の補助座席装置。
【請求項３】
下端部を中心に下方へ回動して開くバックドアを備えた車両の補助座席装置であって、
最後側座席の背もたれ部の背面によって構成される補助背もたれ部と、同補助背もたれ部に連結された補助座部とが設けられ、
使用時において前記バックドアの前側に前記補助座部が設置され、不用時において前記背もたれ部の背面上に同補助座部が折り畳まれるように構成され、
前記補助座部と前記バックドアとの間には、同バックドアの開放状態において同補助座部とバックドアとの間を連結するための連結手段が設けられていることを特徴とする車両の補助座席装置。
【請求項４】
下端部を中心に下方へ回動して開くバックドアを備えた車両の補助座席装置であって、
最後側座席の背もたれ部によって構成される補助背もたれ部と、同補助背もたれ部の後側に設置される補助座部とが設けられ、
使用時において前記補助座部が車体床上に設置されるとともに前記補助背もたれ部が最後側座席の座部に対する所定位置から取り外されて前記補助座部に対応する車体床上の所定位置に設置され、不用時において前記補助座部が車体床上から取り外されるとともに前記補助背もたれ部が前記座部に対応する所定位置に戻されるように構成されたことを特徴とする車両の補助座席装置。
【請求項５】
前記補助座部は、後部収容部の上蓋が表裏反転して用いられることを特徴とする請求項４に記載の車両の補助座席装置。
【発明の詳細な説明】
【技術分野】
【０００１】
この発明は、下端部を中心に下方へ回動して開くバックドアを備えた車両の補助座席装置に関するものである。
【背景技術】
【０００２】
従来、この種の補助座席としては、例えば特許文献１に記載された荷物積載空間遮蔽装置がある。この遮蔽装置は、それぞれパイプからなる枠状フレームにシート材を張って構成される補助背もたれ部、補助座部及び脚部を連結して構成されている。そして、補助背もたれ部は、最後側座席（ベンチシート）の背もたれ部の背面に連結されている。この遮蔽装置は、展開させることによりトノーカバーとして荷室を覆うことができるとともに、ベンチシートを構成することができる。さらに、不用時には、補助背もたれ部、補助座部及び脚部を折り畳んで最後側座席の背もたれ部の背面上の凹部に収容することもできる。従って、この遮蔽装置は、不用時に、最後側座席の後方において広い空間を占有しないようになっている。
【０００３】
また、特許文献２に記載された貨客兼用自動車は、最後側座席の背もたれ部の背面上に折りたたみ式補助座席を備えている。この補助座席は、板状の座部と、脚部とにより構成され、展開状態においては、最後側座席の背もたれ部の背面側を背もたれ部として用いる後向きのベンチシートを構成する。この補助座席も、不用時に、最後側座席の後方において広い空間を占有しないようになっている。
【特許文献１】実開平１−７３０５１号公報
【特許文献２】実開平１−１１３０２６号公報
【発明の開示】
【発明が解決しようとする課題】
【０００４】
しかしながら、上記特許文献１に記載の遮蔽装置は、座部、背もたれ部及び脚部を有するベンチシートを構成するだけであるため、脚を延ばした安楽な姿勢で使用者を着座させるものではない。
【０００５】
また、上記特許文献２に記載の補助座席は、最後側座席の背もたれ部を用いたベンチシートを構成するだけであるため、特許文献１の遮蔽装置と同様、脚を延ばした安楽な姿勢で使用者を着座させることはできない。
【０００６】
この発明は、このような従来の技術に存在する問題点に着目してなされたものである。その目的とするところは、不用時には広い空間を占有しないようにすることができ、しかも、使用時においては脚を延ばした安楽な姿勢で使用者を着座させることができる車両の補助座席装置を提供することにある。
【課題を解決するための手段】
【０００７】
上記の目的を達成するために、この発明は、下端部を中心に下方へ回動して開くバックドアを備えた車両の補助座席装置であって、最後側座席の背もたれ部の背面に連結された補助背もたれ部と、同補助背もたれ部に連結された補助座部とが設けられ、使用時において前記バックドアの前側に前記補助座部及び補助背もたれ部が展開状態で設置され、不用時において前記補助背もたれ部及び補助座部は前記背もたれ部の背面上に折り畳まれるように構成され、前記補助座部と前記バックドアとの間には、同バックドアの開放状態において同補助座部とバックドアとの間を連結するための連結手段が設けられていることを特徴とする。
【０００８】
この構成によれば、補助座席装置の不用時において、補助座席及び補助背もたれ部は、最後側座席の背もたれ部の背面上に折り畳まれ、車室内で広い空間を占有しない。一方、使用時には、使用者に脚をバックドアの背面上まで延ばさせることができ、使用者を安楽な姿勢で着座させることができる。
【０００９】
また、この発明は、前記補助座部には、同補助座部を車体床上に支持する脚部材が連結されていることを特徴とする。
【００１０】
この構成によれば、補助座部が脚部材によって車体床上に支持される。このため、脚部材を設けない構成に比較して、補助座部の構造強度を弱くすることができる。従って、補助座部の構造強度を高くすることなく、車体床から上方に離れた位置に着座させることができる。
【００１１】
また、この発明は、下端部を中心に下方へ回動して開くバックドアを備えた車両の補助座席装置であって、最後側座席の背もたれ部の背面によって構成される補助背もたれ部と、同補助背もたれ部に連結された補助座部とが設けられ、使用時において前記バックドアの前側に前記補助座部が設置され、不用時において前記背もたれ部の背面上に同補助座部が折り畳まれるように構成され、前記補助座部と前記バックドアとの間には、同バックドアの開放状態において同補助座部とバックドアとの間を連結するための連結手段が設けられていることを特徴とする。
【００１２】
この構成によれば、不用時において、補助座部は、最後側座席の背もたれ部の背面側に折り畳まれ、車室内で広い空間を占有しない。一方、使用時には、使用者に脚をバックドアの背面上まで延ばさせることができ、使用者を安楽な姿勢で着座させることができる。
【００１３】
また、この発明は、下端部を中心に下方へ回動して開くバックドアを備えた車両の補助座席装置であって、最後側座席の背もたれ部によって構成される補助背もたれ部と、同補助背もたれ部の後側に設置される補助座部とが設けられ、使用時において前記補助座部が車体床上に設置されるとともに前記補助背もたれ部が最後側座席の座部に対する所定位置から取り外されて前記補助座部に対応する車体床上の所定位置に設置され、不用時において前記補助座部が車体床上から取り外されるとともに前記補助背もたれ部が前記座部に対応する所定位置に戻されるように構成されたことを特徴とする。
【００１４】
この構成によれば、不用時において、補助座部は、車体床上から取り外され、車室内で広い空間を占有しない。一方、使用時には、使用者に脚をバックドアの背面上まで延ばさせることができ、使用者を安楽な姿勢で着座させることができる。
【００１５】
また、この発明は、前記補助座部は、後部収容部の上蓋が表裏反転して用いられることを特徴とする。
【００１６】
この構成によれば、補助座部が使用状態と非使用状態とで容易に切り替わる上、不用時において車室内の空間を占有することがない。
【発明の効果】
【００１７】
この発明によれば、不用時には広い空間を占有しないようにすることができ、しかも、使用時においては脚を延ばした安楽な姿勢で使用者を着座させることができる。
【発明を実施するための最良の形態】
【００１８】
（第１実施形態）
次に、この発明を具体化した第１実施形態について、図１〜図１０を参照して説明する。以下の説明において、「前」及び「後」とは、車両の前後方向に従う。
【００１９】
図２に示す車両１０は、例えばオープンカー、ステーションワゴン、ミニバン又はワンボックス車であり、下端部を中心に下方へ回動して開くバックドア１１を備えている。このバックドア１１は、開いた状態において車体後部から外側へほぼ水平状態で張り出すようになっている。この車両１０において、バックドア１１と最後側座席１２との間には、使用状態と非使用状態とで切り替えることができる補助座席２０が設けられている。この補助座席２０は、使用時においてバックドア１１の前側に設置される補助座部２１及び補助背もたれ部２２を備えるとともに、バックドア１１の背面側を足置き部２３として構成される。なお、最後側座席１２のリクライニング機構１３ｃは、図２に示すように、背もたれ部１３を前傾状態とすることができるように構成されている。また、背もたれ部１３に設けられたヘッドレスト１３ｂは、図１に示すように、通常の使用状態とは前後の向きを変えた状態で背もたれ部１３に支持させて使用可能となっている。
【００２０】
図２及び図４に示すように、補助座部２１及び補助背もたれ部２２は、左右一対のフレーム２４、両フレーム２４の後端間を連結する連結パイプ３２、及び、左右フレーム２４の間に張られた可撓性を有するシート状材料としてのネット２６、及び、ネット２６の後端に接合された略半円形状の連結板２５を備えている。そして、補助座部２１は、両フレーム２４と、連結パイプ３２と、ネット２６のほぼ後半分とによって構成されている。また、補助背もたれ部２２は、ネット２６の残りの前半分によって構成されている。両フレーム２４は、例えば金属筒体や合成樹脂によりほぼ直線状に延びるように形成されている。連結板２５は、図５に示すように、ネット２６の後端部を挟持することにより、補助座部２１の後端に対して回動可能に連結されている。また、連結板２５の下面周縁部には、突条部２５ａが一体形成されている。
【００２１】
図１及び図２に示すように、ネット２６よりなる補助背もたれ部２２の上端辺は、最後側座席１２の背もたれ部１３の背面１３ａ上部に連結されている。また、補助座部２１の後端は、バックドア１１の背面前端部に連結される。バックドア１１の背面前部には、図７に示すように、略半円形の凹部２８が形成され、この凹部２８の周縁に沿って被係合溝２８ａが形成されるとともに、前端側には係止溝２８ｂが形成されている。そして、図５に示すように、バックドア１１の開放状態において、係止溝２８ｂには連結パイプ３２が嵌め込まれるとともに、凹部２８には、突条部２５ａを被係合溝２８ａに係合させた状態で連結板２５が嵌め込まれる。そして、バックドア１１に対する連結パイプ３２の係合により、補助座部２１の後端がバックドア１１に連結される。すなわち、この実施形態では、連結パイプ３２及び係止溝２８ｂにより連結手段が構成されている。なお、図１及び図２に示すように、バックドア１１の背面上に保持された連結板２５上には、バックドア１１の背面に対して例えば面ファスナによって着脱される足パッド２９が配置される。
【００２２】
図１及び図２に示すように、左右両フレーム２４の前端間には、使用時において車体床１４上に固定される脚部材３０が回動可能に連結されている。脚部材３０は、パイプ材により略Ｕ字形状に形成され、その両端が左右両フレーム２４に連結されている。そして、左右両フレーム２４は、連結板２５及び脚部材３０によって所定間隔に保持されている。脚部材３０と各フレーム２４との間には、補助座席２０の使用時において両フレーム２４と脚部材３０との位置関係を固定するための一対の連結部材３１が設けられている。
【００２３】
すなわち、図６（ａ），（ｂ）に示すように、各連結部材３１の一端は、脚部材３０の側部に対して回動可能に連結され、その各他端は、各フレーム２４に対してスライド可能に連結されている。そして、脚部材３０は、両連結部材３１によって両フレーム２４に対する位置関係が固定された状態で、その下端が、車体床１４上に形成された固定溝１５内に配置されて固定される。従って、前記補助座部２１及び補助背もたれ部２２は、バックドア１１と最後側座席１２との間に支持されるとともに、脚部材３０によって車体床１４上に支持される。
【００２４】
互いに連結されている補助座部２１、補助背もたれ部２２及び脚部材３０は、図３及び図８に示すように、不用時において、最後側座席１２の背もたれ部１３の背面１３ａ上に折り畳まれる。この不用時において、折り畳まれた補助背もたれ部２２及び補助座部２１の下端部は、背もたれ部１３の背面１３ａ下部に設けられたポケット１６に差し込まれ、その上部は、背面上部に設けられた図示しないロック機構によって固定される。
【００２５】
さて、上記のように構成された車両１０において、補助座席２０を非使用状態から使用状態に切り替えるには、まず、図９に示すように、最後側座席１２の背もたれ部１３を、後傾状態から前傾状態に切り替えた後、補助座部２１、補助背もたれ部２２及び脚部材３０を持ち上げてポケット１６から外に出す。また、背もたれ部１３のヘッドレスト１３ｂを、前後の向きを変えてヘッドレスト１３ｂに装着する。
【００２６】
次に、図１０に示すように、連結板２５及び脚部材３０を展開させるとともに、補助座部２１を後方へ回動させる。
【００２７】
次に、図２に示すように、開放状態にしたバックドア１１の凹部２８に連結板２５を嵌め込むとともに、連結パイプ３２を係止溝２８ｂに係止させる。そして、バックドア１１の背面上に足パッド２９を取り付けて連結板２５上に被せる。また、脚部材３０の下端部を、車体床面上の固定溝１５に嵌め込む。この結果、補助座部２１及び補助背もたれ部２２は、最後側座席１２の背もたれ部１３とバックドア１１との間に支持されるとともに、脚部材３０を介して車体床１４に支持される。この状態において、補助座席２０が使用状態となる。
【００２８】
補助座席２０の使用者は、補助座部２１上に腰を下ろし、補助背もたれ部２２上半身を凭せ掛けた状態で、バックドア１１上の足パッド２９に両脚を乗せて着座することができる。
【００２９】
補助座席２０を使用状態から非使用状態に切り替えるときには、上記とは逆に、補助座部２１を持ち上げて、連結板２５をバックドア１１の凹部２８から取り外し、連結パイプ３２を係止溝２８ｂから取り外すとともに、脚部材３０を固定溝１５から引き抜く。その後、補助座部２１を補助背もたれ部２２側に折り畳んで重ねる。
【００３０】
次に、連結板２５を回動させて両フレーム２４の間に折り畳むとともに、脚部材３０を回動させて両フレーム２４の間に折り畳む。
【００３１】
次に、補助座部２１及び補助背もたれ部２２を持ち上げてその下端部を背もたれ部１３のポケット１６に差し込んだ後、補助座席２０及び補助背もたれ部２２の上部をロック機構によって背もたれ部１３に固定する。
【００３２】
最後に、背もたれ部１３を前傾状態から後傾状態に切り替えるとともにヘッドレスト１３ｂの前後の向きを元に戻せば、補助座席２０が非使用状態となる。
【００３３】
以上詳述したこの実施形態は、以下の各効果を有する。
【００３４】
（１）  使用時には、補助座部２１及び補助背もたれ部２２がバックドア１１の前側に展開状態で設置され、不用時には、補助座部２１及び補助背もたれ部２２が最後側座席１２の背もたれ部１３の背面１３ａ上に折り畳まれるようにした。そして、補助座部２１の連結板２５とバックドア１１の凹部２８とにより、バックドア１１の開放状態において補助座部２１とバックドア１１とを連結するようにした。
【００３５】
従って、補助座席２０の不用時には、補助座部２１及び補助背もたれ部２２が最後側座席１２の背もたれ部１３の背面１３ａ上に折り畳まれるため、補助座席２０が車室内で広い空間を占有することがない。一方、使用時には、使用者に脚をバックドア１１の背面上まで延ばさせることができ、使用者を安楽な姿勢で着座させることができる。
【００３６】
（２）  補助座部２１の前端間に連結した脚部材３０によって、補助座部２１を車体床１４上に支持するようにした。このため、脚部材３０を設けない構成に比較して、補助座部２１の構造強度を弱くすることができる。従って、フレーム２４の断面積を大きくしたり、ネット２６の糸条を太くしたりして構造強度を高くすることなく、車体床１４から上方に離れた位置に使用者を着座させることができる。
【００３７】
（３）  脚部材３０を、補助座部２１に対して回動可能に連結し、非使用時には補助座部２１及び補助背もたれ部２２とともに背もたれ部１３の背面１３ａ側に折り畳まれるようにした。従って、不用時に補助座席２０が占有する空間をより狭くすることができる。
【００３８】
（４）  補助背もたれ部２２をネット２６によって構成したので、不用時における占有する空間がより狭くてすむ。また、補助背もたれ部２２が軽量となるので、使用状態と非使用状態との間の切り替えを容易に行うことができる。
【００３９】
（第２実施形態）
次に、この発明を具体化した第２実施形態について、図１１及び図１２を参照して説明する。なお、第１実施形態と相違する構成のみについて説明する。
【００４０】
図１２に示すように、この実施形態の補助座席２０において、補助座部２１は、車体床１４上に載置される上蓋４０と、この上蓋４０上に固定された座パッド４１とにより構成される。この補助座部２１は、図１１に示すように、不用時において、車体床１４に形成された工具のための後部収容部１７内に座パッド４１が隠蔽されるとともに、上蓋４０が後部収容部１７の上蓋となる。
【００４１】
また、補助背もたれ部２２は、最後側座席１２の背もたれ部１３によって構成され、この背もたれ部１３は、最後側座席１２の座部１８に対する所定位置から取り外されて前後の向きが反転された後、補助座部２１に対する所定位置に配置された状態で使用される。すなわち、補助背もたれ部２２は下端から下方へ突出する一対の支持片４２を有し、車体床１４上には、同各支持片４２を嵌入可能な一対の支持孔１９が形成されている。そして、補助背もたれ部２２は、後ろ向きにされた状態で両支持片４２が支持孔１９に嵌入されることにより、補助座部２１に対して車体床１４上の所定位置に支持される。
【００４２】
バックドア１１の背面上には、足パッド２９が配置されている。この足パッド２９は、バックドア１１の背面に対して固定されていても、又は、取り外し可能であってもよい。
【００４３】
さて、この実施形態において、補助座席２０を非使用状態から使用状態に切り替えるには、先ず、バックドア１１を開いた後、補助座部２１を車体床１４上から取り外して表裏反転させた後、再び車体床１４上に取り付ける。この結果、バックドア１１の前側に補助座部２１が設置される。
【００４４】
次に、最後側座席１２の背もたれ部１３を座部１８から取り外し、前後の向きを反転させた後、この状態の背もたれ部１３の両支持片４２を車体床１４上の支持孔１９に差し込んで背もたれ部１３を車体床１４上に自立させる。この結果、補助座部２１の前側に補助背もたれ部２２が設置される。この状態において、補助座席２０が非使用状態から使用状態に切り替わる。
【００４５】
補助座席２０の使用者は、補助座部２１上に腰を下ろし、補助背もたれ部２２に上半身を凭せ掛けた状態で、バックドア１１上の足パッド２９の上に両脚を乗せて着座することができる。
【００４６】
補助座席２０を使用状態から非使用状態に切り替えるには、まず、補助背もたれ部２２を持ち上げて両支持片４２を車体床１４の支持孔１９から引き抜き、前後の向きを反転させた後、この状態の補助背もたれ部２２を座部１８に取り付ける。この結果、補助背もたれ部２２は、最後側座席１２の背もたれ部１３に戻る。
【００４７】
最後に、補助座部２１を車体床１４上から取り外して上下反転させた後、この補助座部２１を車体床１４に再び取り付ける。この結果、補助座部２１は、車体床１４内に格納される。
【００４８】
以上で、補助座席２０が使用状態から非使用状態に切り替わる。
【００４９】
この実施形態は、上記第１実施形態の（１）に記載の効果の他に、下記の各効果を有する。
【００５０】
（５）  補助座部２１として、後部収容部１７の上蓋４０を表裏反転して用いるようにした。このため、補助座部２１が使用状態と非使用状態とで容易に切り替わる上、不用時において車室内の空間を占有することがない。
【００５１】
（６）  補助背もたれ部２２として、最後側座席１２の背もたれ部１３を用いるようにしたので、不用時において補助座席２０の占有空間をより狭くすることができる。
【００５２】
（７）  最後側座席１２の背もたれ部１３を補助背もたれ部２２として用いるようにした。従って、補助座席２０の快適性を向上させることができる。
【００５３】
（第３実施形態）
次に、この発明を具体化した第３実施形態について、図１３及び図１４を参照して説明する。なお、第１実施形態と相違する構成のみについて説明する。
【００５４】
図１４に示すように、この実施形態の補助座席２０において、補助座部２１は、最後側座席１２の背もたれ部１３の背面１３ａに連結された座板５０によって構成される。この座板５０は、背もたれ部１３の背面１３ａ下部に対して回動可能に連結されており、図１３に示すように、不用時においては、跳ね上げられて背もたれ部１３の背面１３ａ上に固定される。この固定は、図示しないロック機構によって行われる。また、座板５０は、使用時においては、開放状態のバックドア１１の前側に設置され、バックドア１１の背面前端に形成された切欠き部１１ａに嵌り込んで補助座部２１とバックドア１１との間を連結する。すなわち、補助座部２１とバックドア（切欠き部１１ａ）１１とにより連結手段が構成されている。また、補助背もたれ部２２は、最後側座席１２の背もたれ部１３であり、この背もたれ部１３は、前傾状態でその背面１３ａが使用される。そして、補助座席２０の使用時においては、座板５０及びバックドア１１の上にクッション５１が配置される。
【００５５】
さて、この実施形態において、補助座席２０を非使用状態から使用状態に切り替えるには、先ず、バックドア１１を開くとともに、最後側座席１２の背もたれ部１３を後傾状態から前傾状態に切り替える。また、背もたれ部１３のヘッドレスト１３ｂを、前後の向きを変えて背もたれ部１３に装着する。
【００５６】
次に、背もたれ部１３の背面１３ａ上から座板５０を後方へ回動させ、その先端をバックドア１１の切欠き部１１ａに嵌め込む。最後に、座板５０及びバックドア１１の上にクッション５１を載せる。以上で、補助座席２０が非使用状態から使用状態に切り替わる。
【００５７】
補助座席２０の使用者は、補助座部２１上に腰を下ろし、補助背もたれ部２２に上半身を凭せ掛けた状態で、バックドア１１上の足パッド２９の上に両脚を乗せて着座することができる。
【００５８】
補助座席２０を使用状態から非使用状態に切り替えるには、先ず、座板５０及びバックドア１１の上からクッション５１を取り外した後、座板５０を前上方へ回動させて背もたれ部１３の背面１３ａ上に固定する。最後に、背もたれ部１３を前傾状態から後傾状態に戻し、ヘッドレスト１３ｂの前後の向きを元に戻すとともに、バックドア１１を閉じる。以上で、補助座席２０は、使用状態から非使用状態に切り替わる。
【００５９】
この実施形態は、上記第１実施形態の（１）に記載の効果を有する。
【００６０】
（他の実施形態）
なお、この実施形態は、次のように変更して具体化することも可能である。
【００６１】
・  第１実施形態において、ネット２６の代わりに、帆布等の織物を用いる。
【００６２】
・  第３実施形態において、座板５０をバックドア１１の背面上に連結し、使用時においてバックドア１１の前側へ座板５０が設置されるとともに、不用時においてバックドア１１の背面上に座板５０が折り畳まれる構成とする。
【００６３】
以下、上記実施形態から把握される技術的思想を記載する。
【００６４】
（１）  請求項２に記載の車両の補助座席装置において、前記脚部材は、前記補助座部に対する連結部を中心に回動可能であり、非使用時には補助座部及び補助背もたれ部とともに前記背もたれ部の背面上に折り畳まれることを特徴とする車両の補助座席装置。
【００６５】
（２）  下端部を中心に下方へ回動して開くバックドアを備えた車両の補助座席装置であって、最後側座席の背もたれ部の背面によって構成される補助背もたれ部と、前記バックドアに連結された補助座部とが設けられ、使用時において前記バックドアの前側に前記補助座部が設置され、不用時において前記バックドアの背面上に同補助座部が折り畳まれるように構成されていることを特徴とする車両の補助座席装置。このような構成も、第３実施形態と同じ効果を有する。
【図面の簡単な説明】
【００６６】
【図１】第１実施形態の補助座席を示す斜視図。
【図２】同じく側面図。
【図３】不用時の補助座部及び補助背もたれ部を示す斜視図。
【図４】補助座部及び補助背もたれ部を示す斜視図。
【図５】連結板を示す縦断面図。
【図６】（ａ），（ｂ）はともに脚部材とフレームとの連結部分を示す側面図。
【図７】バックドアの背面の一部を示す斜視図。
【図８】不用時の補助座席を示す側面図。
【図９】不用時から使用時へ切り替えるときの補助座席を示す側面図。
【図１０】不用時から使用時へ切り替えるときの補助座席を示す側面図。
【図１１】第２実施形態の補助座席の使用時を示す側面図。
【図１２】同じく不用時を示す側面図。
【図１３】第３実施形態の補助座席の使用時を示す側面図。
【図１４】同じく不用時を示す側面図。
【符号の説明】
【００６７】
１０…車両、１１…バックドア、１１ａ…連結手段を構成する切欠き部、１２…最後側座席、１３…背もたれ部、１３ａ…背面、１４…車体床、１７…後部収容部、１８…座部、２０…補助座席、２１…補助座部、２２…補助背もたれ部、２３…足置き部、２４…補助座部を構成するフレーム、２５…連結手段を構成する連結板、２６…補助座部及び補助背もたれ部を構成するシート状材料としてのネット、２８ｂ…連結手段を構成する係止溝、３０…補助座部を構成する脚部材、３２…連結手段を構成する連結パイプ、４０…補助座部を構成する上蓋、４１…同じく座パッド、５０…連結手段を構成する補助座部としての座板。
【図１】
2008265388.tif 000003
【図２】
2008265388.tif 000004
【図３】
2008265388.tif 000005
【図４】
2008265388.tif 000006
【図５】
2008265388.tif 000007
【図６】
2008265388.tif 000008
【図７】
2008265388.tif 000009
【図８】
2008265388.tif 000010
【図９】
2008265388.tif 000011
【図１０】
2008265388.tif 000012
【図１１】
2008265388.tif 000013
【図１２】
2008265388.tif 000014
【図１３】
2008265388.tif 000015
【図１４】
2008265388.tif 000016